(57)【要約】      （修正有）【課題】住宅、事務所、店舗又は飲食店の内部等における種々の態様の一時的又は固定的な仕切りのため、テーブルやデスク等の脚部や収納家具類の側壁等を構成する部材として使用可能で、剛性が高く洗練されたデザインものとすることができる多目的パネルを提供する。【解決手段】内部の平行な多数の膜状リブ１ａｒ、１ａｒ…、１ｂｒ、１ｂｒ…を相互に交差させた状態で接合した二枚の無着色透光性のプラスチック中空板１ａ、１ｂと、それらの間に介在させた透孔性のカラーフィルム２と、その二枚のプラスチック中空板１ａ、１ｂの上辺を抱える上部フレーム３ａ、下部を抱える下部フレーム３ｂ及び両側辺の各々を抱える側部フレーム４、４と、下部フレーム３ｂに取り付けた脚体５、５とで構成する。側部フレーム４の結合溝とジョイント部材とにより、隣接する多目的パネル相互を種々に連結しうるようにする。【選択図】図２
0003169389.tif 000002
【実用新案登録請求の範囲】
【請求項１】
相互に平行な両面の膜状部及び該両面の膜状部を繋ぐ相互に平行な複数の膜状リブからなる二枚の無着色透光性のプラスチック中空板であって、それらの相互の膜状リブを交差させた状態で接合した二枚のプラスチック中空板と、
前記二枚のプラスチック中空板の間に介在させる透光性のカラーフィルムと、
前記二枚のプラスチック中空板の四辺の各々をそれぞれ内側の抱持溝で抱えるフレーム材と、
前記二枚のプラスチック中空板の四辺の各々を抱えるフレーム材のうち、下辺を抱えるフレーム材に該二枚のプラスチック中空板と直交する向きに取り付けた棒状の脚体と、
で構成した多目的パネル。
【請求項２】
前記カラーフィルムを、前記二枚のプラスチック中空板の内の一方のそれの他のプラスチック中空板と対面する面に接着した状態で、該二つのプラスチック中空板の間に介在させることとした請求項１の多目的パネル。
【請求項３】
前記四辺のフレーム材の内の両側辺のフレーム材として、その長さ方向に沿って外面側に開口する内広がりの結合溝を備えたそれを採用し、相互に隣接する二以上の多目的パネルの側辺相互を、それらの側辺のフレーム材の結合溝に嵌合可能な複数の棒状結合体と該複数の棒状結合体相互間に介在する該棒状結合体の径より薄い板状の介在体とからなる連結手段で連結可能に構成した請求項１又は２の多目的パネル。
【考案の詳細な説明】
【技術分野】
【０００１】
本考案は、住宅、事務所、店舗又は飲食店の内部等の種々の態様の一時的な又は固定的な仕切りのために使用し、テーブルやデスクの脚体やハンガーその他の収納家具類の側壁等を構成する部材等として使用することができる多目的パネルに関する。
【背景技術】
【０００２】
このような多目的パネルの提案は現時点では存在していないと思われる。
知り得たパネル類の提案例としては、例えば、特許文献１の「多目的パネル及びネジ付ピン」がある。この特許文献１が提案する多目的パネルは、二枚の樹脂パネルを接合し、その接合状態を四隅をネジ止めすることで着脱自在に固定することとしたものである。二枚の樹脂パネルの間に白の台紙を挿入することでホワイトボードとして利用可能であり、表面側の樹脂パネルとしてフック穴を形成した物を使用すれば、小物掛けとしても利用可能であるとされている。
【０００３】
また特許文献２のパーティション構造の提案例もある。このパーティション構造は、レース地のカーテンである第一パーティション材の表面に、三次元的に変形成形された透光性を有するシート状のプラスチックであるベース部材を少なくとも一以上着脱自在に装着し、そのベース部材は、その表面に物体装着用のフック部を一体的に備えてあり、かつそのベース部材の前面は透光性を有するレース地のカーテンである第二パーティション材で垂覆してあるものである。また前記第一パーティションには光源が付設されているものでもある。
【０００４】
以上の特許文献１及び２のそれぞれのパネルは、例えば、住宅その他の建物内部の種々の態様の一時的又は固定的な仕切りのために使用したり、テーブルやデスクの脚体や種々の家具類の側壁等を構成する部材等として用いることはできないし、単純で簡明であるとは言い難く、更にその構成からデザイン的にも洗練されたものを構成しがたいように思われる。
【先行技術文献】
【特許文献】
【０００５】
【特許文献１】特開２００４−４２５８８号公報
【特許文献２】実用新案登録第３１３２９１６７号公報
【考案の概要】
【考案が解決しようとする課題】
【０００６】
本考案は、剛性が高く、洗練されたデザインのパネルに作成することが可能であり、住宅、事務所、店舗又は飲食店等の内部において、種々の態様の一時的な又は固定的な仕切りのために使用し、テーブルやデスク等の脚体やハンガーその他の収納家具類の側壁等を構成する部材等として使用することができる多目的パネルを提供することを解決の課題とする。
【課題を解決するための手段】
【０００７】
本考案の１は、相互に平行な両面の膜状部及び該両面の膜状部を繋ぐ相互に平行な複数の膜状リブからなる二枚の無着色透光性のプラスチック中空板であって、それらの相互の膜状リブを交差させた状態で接合した二枚のプラスチック中空板と、
前記二枚のプラスチック中空板の間に介在させる透光性のカラーフィルムと、
前記二枚のプラスチック中空板の四辺の各々をそれぞれ内側の抱持溝で抱えるフレーム材と、
前記二枚のプラスチック中空板の四辺の各々を抱えるフレーム材のうち、下辺を抱えるフレーム材に該二枚のプラスチック中空板と直交する向きに取り付けた棒状の脚体と、
で構成した多目的パネルである。
【０００８】
本考案の２は、本考案の１の多目的パネルにおいて、
前記カラーフィルムを、前記二枚のプラスチック中空板の内の一方のそれの他のプラスチック中空板と対面する面に接着した状態で、該二つのプラスチック中空板の間に介在させることとしたものである。
【０００９】
本考案の３は、本考案の１又は２の多目的パネルにおいて、
前記四辺のフレーム材の内の両側辺のフレーム材として、その長さ方向に沿って外面側に開口する内広がりの結合溝を備えたそれを採用し、相互に隣接する二以上の多目的パネルの側辺相互を、それらの側辺のフレーム材の結合溝に嵌合可能な複数の棒状結合体と該複数の棒状結合体相互間に介在する該棒状結合体の径より薄い板状の介在体とからなる連結手段で連結可能に構成したものである。
【考案の効果】
【００１０】
本考案の１の多目的パネルによれば、膜状リブの方向を直交させた状態で二枚のプラスチック中空板を接合して一枚のパネルを作成するものであるため、比較的、高い剛性を確保することが可能となり、四辺を抱えるフレーム材の剛性と相まって十分な剛性を確保し得、様々な収納家具類の側壁やテーブルの脚体等に利用することが可能になる。またプラスチック中空板で構成されるパネル面に、例えば、該パネル面に固設した係止手段等を介して時計等の種々の物品を係止することも可能となる。
【００１１】
更にプラスチック中空板として、無着色かつ透光性のそれを用い、二枚のプラスチック中空板の間に透光性のカラーフィルムを介在させることとしたため、材料に着色料を混合して成形したプラスチック中空板を用いて作成した場合と比較して、より色彩の一様性を確保できることになる。ちなみに、材料に着色料を混合して作成した場合には、外面から見て、中空中の膜状リブを有する部分が該膜状リブのない部分と比べてより色が濃くなり、色彩の一様性が確保できないこととなってしまう。
【００１２】
更に本発明の１の多目的パネルによれば、透光性のカラーフィルムを介在させた二枚の透光性プラスチック中空板の四辺をフレーム材で抱えて一枚のパネルに構成し、下辺に脚体を取り付けた単純な構成であり、シンプルで洗練されたデザインのパネルに容易に構成することができるものでもある。
【００１３】
本考案の２の多目的パネルによれば、二枚のプラスチック中空板のうちの一方の内面に透光性のカラーフィルムを接着することとしたため、該カラーフィルムが何らかの事情で、ずれ落ちるような問題を回避することができる。
【００１４】
本考案の３の多目的パネルによれば、複数のそれを容易に種々の態様で、すなわち、直列に、Ｔ字状に又はＬ字状等に連結することが可能になる。
【図面の簡単な説明】
【００１５】
【図１】(a)は実施例の多目的パネルの概略縦断側面図、(b)は概略正面図。
【図２】(a)は実施例の多目的パネルの上部の縦断側面図、(b)は下部の縦断側面図。
【図３】実施例の多目的パネルの一部切欠横断平面図。
【図４】実施例の多目的パネルの一部切欠正面図。
【図５】(a)は多目的パネルを構成するために組み合わせる膜状リブの方向の異なる二枚のポリカーボネート中空板を示す正面図、(b)は二枚のポリカーボネート中空板とその間に介在させる透光性カラーフィルムを示す側面図。
【図６】(a)は他の多目的パネルと連結関係にない多目的パネルの側部付近の一部切欠横断平面図、(b)は直列に連結した二枚の多目的パネルの一部切欠横断平面図、(c)はＬ型に連結した二枚の多目的パネルの一部切欠横断平面図、(d)はＴ型に連結した三枚の多目的パネルの一部切欠横断平面図。
【図７】(a)は多目的パネルを連結しない場合にフレーム部材の結合溝を閉じるエンドカバーの部分斜視図、(b)は二枚の多目的パネルを直列に連結する場合に用いるジョイント部材の部分斜視図、(c)は二枚の多目的パネルをＬ字状に連結する場合に用いるジョイント部材の部分斜視図、(d)は三枚の多目的パネルをＴ字状に連結する場合に用いるジョイント部材の部分斜視図。
【図８】実施例の多目的パネルの連結例を示す概略平面説明図であり、(a)は直列に連結した例の概略平面説明図、(b)は一部が開口した四辺形に配列連結した例の概略平面説明図、(c)はＴ字状に配列連結した例の概略平面説明図、(d)はＹ字状に配列連結した例の概略平面説明図、(e)は一部が開口した円形に配列連結した例の概略平面説明図。
【図９】実施例の多目的パネルをテーブル又はデスクの脚体として用いるために配列連結した例を示す概略平面説明図であり、(a)は概略ロ字形に配列連結した例の概略平面説明図、(b)は概略縦長コ字形に配列連結した例の概略平面説明図、(c)は概略コ字形に配列連結したものを相互に逆向きに配列した例の概略平面説明図、(d)は概略Ｓ字状に配列連結した例の概略平面説明図。
【考案を実施するための形態】
【００１６】
考案を実施するための形態を実施例に基づき図面を参照しながら詳細に説明する。
【００１７】
この実施例の多目的パネル７は、図１(a)、(b)〜及び図４に示すように、基本的に、内部の平行な多数の膜状リブ１ａｒ、１ａｒ…、１ｂｒ、１ｂｒ…を相互に交差させた状態で接合した二枚の無着色透光性のプラスチック中空板１ａ、１ｂと、それらの間に介在させた透光性のカラーフィルム２と、その二枚のプラスチック中空板１ａ、１ｂの上辺を抱える上部フレーム３ａ、下辺を抱える下部フレーム３ｂ及び両側辺の各々を抱える側部フレーム４、４と、下辺を抱える該下部フレーム３ｂに取り付けた脚体５、５とで構成したものである。
【００１８】
前記プラスチック中空板１ａ、１ｂは、図２(a)、(b)、図３及び図５(a)(b)に示すように、表裏面の膜状部１ａｓ、１ａｓ、１ｂｓ、１ｂｓと、これらを繋いで補強する多数の膜状リブ１ａｒ、１ａｒ…、１ｂｒ、１ｂｒ…とを備えた四辺形の板状中空部材であり、一方のプラスチック中空板１ａは、同図に示すように、該膜状リブ１ａｒ、１ａｒ…が横向きになり、他方のプラスチック中空板１ｂは、同図に示すように、該膜状リブ１ｂｒ、１ｂｒ…が縦向きになるように、材料板材から切り出してある。従って両プラスチック中空板１ａ、１ｂを接合すると、両者の膜状リブ１ａｒ、１ａｒ…、１ｂｒ、１ｂｒ…は相互に交差状態になる。
【００１９】
両プラスチック中空板１ａ、１ｂは、この実施例では、引抜加工によって作成された無着色透光性で、以上の構成を有するポリカーボネート製の中空板を採用したものである。縦横の寸法は、室内の仕切りに用いるとか、テーブルや机の脚体として用いるとか等の用途に応じて自由に設定することができる。
【００２０】
前記カラーフィルム２は、透光性の厚さの薄いプラチックフィルムが適当である。色は自由に選択することができる。このカラーフィルム２は、この実施例では、前記プラスチック中空板１ａ、１ｂの間に介在させる場合に、該プラスチック中空板１ａ、１ｂの接合状態で、相互に対面することとなる面のうち、いずれか一方のプラスチック中空板１ａ（１ｂ）の面に予め接着接合しておいた上で、両プラスチック中空板１ａ、１ｂを接合状態にする。単に、両プラスチック中空板１ａ、１ｂの間に挟持状態にすることも可能であるが、長期間の内に、何らかの理由でずり落ちる虞もあるので、上記のようにするのが適切である。
【００２１】
前記上部フレーム３ａ及び下部フレーム３ｂは、図１(a)、(b)、図２(a)、(b)及び図４に示すように、基本的に、前記プラスチック中空板１ａ、１ｂの上辺又は下辺の幅寸法より若干短い長さで（具体的には側部フレーム４の抱持溝４ａの深さ×２の寸法分だけ短くする）、各々接合状態のそれらの上辺又は下辺を抱える抱持溝３ａ１、３ｂ１を有するアルミニウム製の長尺部材である。より詳細には、特に図２(a)、(b)に示すように、それぞれ長さ方向に交差する断面が四辺形の中空長尺部材であり、その断面四辺形の中空部を中央の区画壁で上下二つの区画に区画し、その一方の区画（上部フレーム３ａでは下側、下部フレーム３ｂでは上側の区画）の内面側中央部に長さ方向に沿って開口する開口部を形成し、該開口部を前記抱持溝３ａ１、３ｂ１とする。該抱持溝３ａ１、３ｂ１を構成する開口部の両外縁部はそれぞれ内側に９０度に折り曲げてあり、図２(a)、(b)に示すように、この中にプラスチック中空板１ａ、１ｂの上辺又は下辺を装入すると、該両外縁部で密着状態に抱持されるようになっている。
【００２２】
前記側部フレーム４は、図１(a)、(b)、図３及び図４に示すように、基本的に、前記プラスチック中空板１ａ、１ｂの両側辺の長さ寸法より若干長い長さで（具体的には、プラスチック中空板１ａ、１ｂに上部フレーム３ａ及び下部フレーム３ｂを取り付けた状態で、該上部フレーム３ａの上端から該下部フレーム３ｂの下端までの寸法と一致する寸法）、各々接合状態のそれらの側辺を抱える抱持溝４ａ及び後記ジョイント部材（連結手段）６ａ、６ｂ、６ｃの嵌合部（結合体）６ｋ又はエンドカバー６ｅを嵌合して結合するための結合溝４ｂを有するアルミニウム製の長尺部材である。
【００２３】
該側部フレーム４は、より詳細には、特に図３に示すように、長さ方向に交差する断面が概略野球のホームベース型の五角形であり、その後ろ側の辺（内辺）の中央に断面Ｕ字形の溝がその長さ方向に沿って形成してあり、これが、前記プラスチック中空板１ａ、１ｂの両側辺を抱持する抱持溝４ａを構成している。また先端側の頂点には、同図に示すように、長さ方向に沿って前記結合溝４ｂが構成してある。この結合溝４ｂは、前記抱持溝４ａのちょうど反対側に開口する状態に構成してある。またこの結合溝４ｂは、同図に示すように、この中にその上下端からジョイント部材６ａ、６ｂ、６ｃの嵌合部６ｋ又はエンドカバー６ｅをスライド装入し、これを嵌合させた場合に、上下方向以外には抜けないように、その開口縁が狭くなるように構成してある（言い換えれば、内広がりになっている）。また該結合溝４ｂは、その深さを調節する観点で、その両側から突片４ｃ、４ｃが張り出してある。
【００２４】
前記脚体５は、図１(a)、(b)、図２(b)及び図４に示すように、中央部に前記下部フレーム３ｂにその向きと交差状態に取り付けるための取付用凹部５ａを有する棒状の部材であり、上部は、両端から中央の取付用凹部５ａに向かって高くなる傾斜状態に構成され、かつ下部は底面５ｂが周縁５ｃより上方に構成され、該底面５ｂの両端近傍にはそれぞれ高さ調整用のアジャスト螺子５ｄ、５ｄが配してある。
【００２５】
前記取付用凹部５ａは、図２(b)に示すように、前記底面５ｂより上部側が前記下部フレーム３ｂの厚みに相当する幅だけ切り欠かれた状態の上部開口の凹部であり、この取付用凹部５ａに前記プラスチック中空板１ａ、１ｂの下部縁を抱えた下部フレーム３ｂの両端近傍を装入した上で、該底面５ｂの下面側から該下部フレーム３ｂの外面側まで取付螺子５ｅ、５ｅをねじ込んで該下部フレーム３ｂと脚体５とを固設するものである。
【００２６】
従ってこの実施例の多目的パネル７は以下のように簡単に組み立てることができる。
先に述べ、図５に示すような二枚の長方形のプラスチック中空板１ａ、１ｂを、その間に所望の色彩の透光性のカラーフィルム２を介在させて接合した上で、図２(a)、(b)に示すように、それらの上下端を上部フレーム３ａ及び下部フレーム３ｂによりそれぞれその抱持溝３ａ１、３ｂ１で抱え、かつ両側部を側部フレーム４によりその抱持溝４ａで抱えて一枚のパネルに構成し、更に上記下部フレーム３ｂの両端近傍にそれと交差状態に脚体５、５を取り付ける。なお、側部フレーム４、４の上端には、キャップ４ｄを被せる。
【００２７】
上記脚体５、５は、前記し、図２(b)に示すように、その中央部の取付用凹部５ａに下部フレーム４の該当部位を嵌合し、該脚体５、５の下方から底面５ｂを通じて取付螺子５ｅ、５ｅをねじ込んで該下部フレーム４に固定する。また前記カラーフィルム２は、前記したように、この実施例では、一方のプラスチック中空板１ａの内面に予め接着接合しておき、他のプラスチック中空板１ｂを該カラーフィルム２を介して該プラスチック中空板１ａに接合することでその間に介在させることにする。
【００２８】
こうして多目的パネル７は容易に組み立てることができる。
【００２９】
またこの多目的パネル７において、組み立て対象の二枚のプラスチック中空板１ａ、１ｂは、前記し、かつ図５に示すように、それらの膜状リブ１ａｒ、１ａｒ…、１ｂｒ、１ｂｒ…が相互に交差状態に接合されるように、切り出されており、それ故、前記のように、それらを接合して構成される多目的パネル７は、表裏の膜状部１ａｓ、１ａｓ、１ｂｓ、１ｂｓが文字通りの薄い膜状の要素であり、膜状リブ１ａｒ、１ａｒ…、１ｂｒ、１ｂｒ…も文字通りの膜状の薄いリブであっても、高い剛性を確保したものとなり、更にこれらの四辺を抱持する上部フレーム３ａ、下部フレーム３ｂ及両び側部フレーム４、４と相まって、一層高い剛性を確保し、様々な家具類、例えば、種々の収納家具等の側壁やテーブル又はデスクの脚体等に利用することが可能になる。またプラスチック中空板１ａ、１ｂによるパネル面に、例えば、該パネル面に固設したフックその他の係止手段等を介して時計等の様々な物品を係止することも可能となる。
【００３０】
また二枚のプラスチック中空板１ａ、１ｂは、それぞれ表裏面の膜状部１ａｓ、１ａｓ、１ｂｓ、１ｂｓと、これらを繋いで補強する多数の膜状リブ１ａｒ、１ａｒ…、１ｂｒ、１ｂｒ…とで構成した板状中空部材であり、かつこの多目的パネル７は、それらの膜状リブ１ａｒ、１ａｒ…、１ｂｒ、１ｂｒ…を交差状態として接合したものであるため、この多目的パネル７の一方から他方に通過する光は、交差する膜状リブ１ａｒ、１ａｒ…、１ｂｒ、１ｂｒ…で屈折し、拡散されることになる。またこれらの膜状リブ１ａｒ、１ａｒ…、１ｂｒ、１ｂｒ…は、先に述べたように、文字通りの膜状であり、薄いため、微妙に波打つものとなっており、それ故、この多目的パネル７を通過する光は、更にその波打つ部分で屈折させられて拡散されることになる。更にこれらの膜状リブ１ａｒ、１ａｒ…、１ｂｒ、１ｂｒ…で繋がれる両面の膜状部１ａｓ、１ａｓ、１ｂｓ、１ｂｓも、先に述べたように、文字通り膜状で薄く微妙に波打つものであるため、この多目的パネル７を通過する光は、この二箇所でも屈折させられ、一層、拡散させられることになる。
【００３１】
従ってこの多目的パネル７は、良く光を透過させる透光性ではあるが、その背後を見通せることはない。またこの多目的パネル７によれば、窓際等に配置され、太陽光が直接入射するようなことがあっても、これを直接に透過させるようなことはなく、十分に拡散させ、柔らかな光に変えて透過させることになるものである。
【００３２】
またプラスチック中空板１ａ、１ｂとして、無着色かつ透光性のそれを用い、その間に透光性のカラーフィルム２を介在させることとしたため、材料に着色料を混合して成形したプラスチック中空板を用いて作成した場合と比較して、より色彩の一様性を確保することができたものである。
【００３３】
またこのようなシンプルな構成であり、洗練されたデザインのパネルに容易に構成することができる。
【００３４】
この多目的パネル７は、複数のそれを相互の側部で接続して、住宅、事務所、店舗又は飲食店内部等の種々の態様の一時的な又は固定的な仕切りのために、またはテーブルやデスク類の脚体、若しくは収納家具類の側壁等として使用することができるが、そのための側部相互の連結に関して説明する。
【００３５】
このような連結は、この多目的パネル７の側部を構成する側部フレーム４、４に構成してある結合溝４ｂ及びこれに嵌合する嵌合部６ｋを備えたジョイント部材６ａ、６ｂ、６ｃを利用して行う。
該ジョイント部材６ａ、６ｂ、６ｃは、図６(b)〜(d)及び図７(b)〜(d)に示すように、その順に、二つの直列に並ぶ多目的パネル７、７相互、二つの直角に並ぶ多目的パネル７、７相互、三つのＴ字状に並ぶ多目的パネル７、７、７相互を、それぞれ連結する連結手段である。
【００３６】
具体的には、前記ジョイント部材６ａは、図６(b)及び図７(b)に示すように、長さ方向に交差する断面で見た場合の断面Ｃ字状の二つの嵌合部６ｋ、６ｋと、その裏面中央部間を直線的に繋ぐ中間接続板（介在体）６ｓ１とで構成した長尺部材である。
前記ジョイント部材６ｂは、図６(c)及び図７(c)に示すように、断面Ｃ字状の二つの嵌合部６ｋ、６ｋと、９０度異なる方向を向いた該二つの嵌合部６ｋ、６ｋの裏面中央部間をそれらの各軸芯に対して４５度の角度で繋ぐ中間接続板（介在体）６ｓ２とで構成した長尺部材である。
また前記ジョイント部材６ｃは、図６(d)及び図７(d)に示すように、断面Ｃ字状の三つの嵌合部６ｋ、６ｋ、６ｋと、Ｔ字状に背後側を向けて並んだ該三つの嵌合部６ｋ、６ｋ、６ｋの裏面中央部間をそれの軸芯に沿ってＴ字状に繋ぐ中間接続板（介在体）６ｓ３とで構成した長尺部材である。
【００３７】
なお、前記エンドカバー６ｅは、前記嵌合部６ｋと同一形状の断面Ｃ字状の長尺部材のみからなる部材である。
【００３８】
従って、図８(a)に示すように及び図８(b)〜(c)の一部に示すように、多目的パネル７を直線的に接続する場合は、必要数の多目的パネル７、７…を平面から見て直線的に並べ、各側部フレーム４、４…の上端のキャップ４ｄを外した上で、隣接する多目的パネル７、７相互の側部フレーム４、４の各々の結合溝４ｂ、４ｂにその上方から前記ジョイント部材６ａの嵌合部６ｋ、６ｋをそれぞれスライド装入する。最下部まで押し下げ、全体に装入嵌合状態になれば、図６(b)に示す連結状態となる。隣接する多目的パネル７、７の側部間の全てに以上の連結操作をし、各側部フレーム４、４…の上端にキャップ４ｄを被せれば連結作業は完了である。両端の多目的パネル７、７の外側の側部フレーム４、４には、それぞれ同様に、その結合溝４ｂに最上部から前記エンドカバー６ｅを装入すればその開口部を閉じることができる。その後、該側部フレーム４、４にもその上端にキャップ４ｄを被せるのは云うまでもない。
【００３９】
図８(b)の配列例のように、多数の多目的パネル７、７…を配列して、一辺の中央を開いた態様の四辺形に構成した場合に、その角部の多目的パネル７、７相互の連結は、以下のように行う。すなわち、全多目的パネル７、７…の側部フレーム４、４…の上端のキャップ４ｄ、４ｄ…を取り外した上で、前記ジョイント部材６ｂを用い、各角部の隣接する多目的パネル７、７相互の側部フレーム４、４の各々の結合溝４ｂ、４ｂにその上方から該ジョイント部材６ｂの嵌合部６ｋ、６ｋをそれぞれスライド装入する。最下部まで押し下げ、全体に嵌合状態になれば、図６(c)に示す連結状態となる。角部の隣接する多目的パネル７、７の側部間の全てに以上の連結操作をし、該当する側部フレーム４、４…の上端にキャップ４ｄ、４ｄ…を被せれば、この点に関する連結作業は完了である。
【００４０】
角部以外の連結部分のうち、直線部分は、先に述べたように、ジョイント部材６ａを用いて連結する。また一辺の中央の開いた部分の両縁部は、前記したように、その結合溝４ｂに最上部から前記エンドカバー６ｅを装入すれば該結合溝４ｂの開口部を閉じることができる。この後、それぞれの側部フレーム４、４…の上端には当然キャップ４ｄ、４ｄ…を被せる。
【００４１】
図８(c)の配列例のように、多数の多目的パネル７、７…を配列して、平面から見てＴ字状に配列した場合に、そのＴ字状の連結部分の多目的パネル７、７、７相互の連結は、以下のように行う。すなわち、全多目的パネル７、７…の側部フレーム４、４…の上端のキャップ４ｄ、４ｄ…を取り外した上で、前記ジョイント部材６ｃを用い、Ｔ字状に配列された三枚の多目的パネル７、７、７の隣接する相互の側部フレーム４、４、４の各々の結合溝４ｂ、４ｂ、４ｂにその上方から該ジョイント部材６ｃの嵌合部６ｋ、６ｋ、６ｋをそれぞれスライド装入する。最下部まで押し下げ、全体に嵌合状態になれば、図６(d)に示す連結状態となる。
【００４２】
Ｔ字状の連結部以外の連結部分のうち、直線部分は、先に述べたように、ジョイント部材６ａを用いて連結する。また各々直線に延びた部分の縁部は、前記したように、その結合溝４ｂに最上部から前記エンドカバー６ｅを装入すれば該結合溝４ｂの開口部を閉じることができる。この後、全側部フレーム４、４…の上端にキャップ４ｄ、４ｄ…を被せれば連結操作は完了である。
【００４３】
以上には、中間接続板６ｓ１、６ｓ２、６ｓ３のように、この部分が変形を許容しない剛性タイプのジョイント部材６ａ、６ｂ、６ｃを用いて連結する場合を説明した。中間接続板６ｓ１、６ｓ３に相当する中間接続板が可変形性（フレキシブル）であるジョイント部材を作成しておくことにより、図８(d)及び(e)のような配列が可能となる。
【００４４】
図９(a)〜(d)は、複数の多目的パネル７、７…を配列連結したものをデスクの脚部として用いる場合の例を示したものである。なお、図中、９は椅子である。
縦長ロ字形（図９(a)）、縦長逆コ字形（図９(b)）、コ字形と逆コ字形の組み合わせ（図９(c)）及びＳ字形（図９(d)）の配列であるが、これらのように配列した多目的パネル７、７相互は、いずれも先に説明したジョイント部材６ａ、６ｂ、６ｃ及びフレキシブルな中間接続板を備えたジョイント部材のいずれか又はその組み合わせを用いて連結することができる。なお、これらは、いずれもデスクの脚部として用いるものであるから、云うまでもなく、６０〜７０ｃｍ程度の高さ寸法の多目的パネル７、７…を用いる。天板８は所望のそれを単に上記配列の多目的パネル７、７…上に直接載せるか、または多目的パネル７、７…との間に緩衝部材を介在させた上で載せる。天板８が適切な重量を有するものであれば、単に載せるだけで十分であり、固設の必要はない。
【００４５】
またこの多目的パネル７には、そのプラスチック中空板１ａ、１ｂの面にフック等の係止手段を施しておき、これに、例えば、時計等の種々の物品を係止するようにすることも可能である。
【産業上の利用可能性】
【００４６】
本考案の多目的パネルは、建築の分野や家具の製造等の分野で有効に利用できる。
【符号の説明】
【００４７】
１ａ、１ｂ  プラスチック中空板
１ａｒ、１ｂｒ  膜状リブ
１ａｓ、１ｂｓ  膜状部
２    カラーフィルム
３ａ  上部フレーム
３ｂ  下部フレーム
３ａ１、３ｂ１  抱持溝
４    側部フレーム
４ａ  抱持溝
４ｂ  結合溝
４ｃ  突片
４ｄ  キャップ
５    脚体
５ａ  取付用凹部
５ｂ  底面
５ｃ  周縁
５ｄ  アジャスト螺子
５ｅ  取付螺子
６ａ、６ｂ、６ｃ  ジョイント部材（連結手段）
６ｅ  エンドカバー
６ｋ  嵌合部（結合体）
６ｓ１、６ｓ２、６ｓ３  中間接続板（介在体）
７    多目的パネル
８    天板
９    椅子
【図１】
0003169389.tif 000003
【図２】
0003169389.tif 000004
【図３】
0003169389.tif 000005
【図４】
0003169389.tif 000006
【図５】
0003169389.tif 000007
【図６】
0003169389.tif 000008
【図７】
0003169389.tif 000009
【図８】
0003169389.tif 000010
【図９】
0003169389.tif 000011